(57)【特許請求の範囲】
【請求項１】
端末装置と、前記端末装置と所定の通信回線を介して接続され、前記端末装置からのプリント指示を受け付けるプリント装置と、を備え、
前記端末装置は、
放送用信号を受信する放送受信手段と、
前記受信された放送用信号に含まれる視聴用コンテンツを表示する表示手段と、
前記表示手段によって表示される前記視聴コンテンツの画質を調整する画質調整手段と、
前記画質調整に係る画質調整情報を記憶する画質調整情報記憶手段と、
前記視聴用コンテンツに係る画像とは異なる画像であって脱着可能な記録媒体に記録された画像のプリントを指示するための指示手段と、
前記プリント指示に係るプリント指示情報と、前記画質調整情報記憶手段に記憶された画質調整情報とを送信する情報送信手段と、を備え、
前記プリント装置は、
前記情報送信手段から送信された前記プリント指示情報及び前記画質調整情報を受信する情報受信手段と、
前記情報受信手段により受信された前記画質調整情報に基づいて、前記プリント指示情報によりプリントが指示された前記画像の画質補正を行う画質補正手段と、を備えることを特徴とする写真プリントシステム。
【請求項２】
前記端末装置は、
前記画質調整情報記憶手段は、複数の前記画質調整情報を記憶し、
前記画質調整情報記憶手段に記憶された前記複数の前記画質調整情報から何れか一の前記画質調整情報を選択する画質調整情報選択手段を備え、
前記情報送信手段は、前記画質調整情報選択手段により選択された前記画質調整情報を送信することを特徴とする請求項１に記載の写真プリントシステム。
【請求項３】
前記端末装置は、
前記指示手段によりプリントが指示された画像を取得する画像取得手段を備え、
前記情報送信手段は、当該画像取得手段により取得された画像を前記プリント指示情報と対応付けて送信し、
前記プリント装置は、
前記情報受信手段は、前記情報送信手段から前記プリント指示情報と対応付けて送信された画像を受信することを特徴とする請求項１又は２に記載の写真プリントシステム。
【請求項４】
表示装置を備える端末装置と、前記端末装置と所定の通信回線を介して接続され、前記端末装置からのプリント指示を受け付けるプリント装置と、を用いる写真プリント方法であって、
前記端末装置は、
放送用信号を受信する処理と、
前記受信された放送用信号に含まれる視聴用コンテンツを前記表示装置に表示する処理と、
前記表示装置に表示される前記視聴用コンテンツの画質を調整する処理と、
前記画質調整に係る画質調整情報を記憶する処理と、
前記視聴用コンテンツに係る画像とは異なる画像であって脱着可能な記録媒体に記録された画像のプリントを指示するための処理と、
前記プリント指示に係るプリント指示情報と、前記記憶された画質調整情報とを送信する処理と、を行い、
前記プリント装置は、
前記端末装置から送信されて受信された前記画質調整情報に基づいて、前記プリント指示情報によりプリントが指示された前記画像の画質補正を行う処理を行うことを特徴とする写真プリント方法。
【発明の詳細な説明】
【技術分野】
【０００１】
本発明は、顧客からの写真のプリント指示を所定の通信回線を介して受け付けて、当該写真をプリントしてから顧客に提供する写真プリントシステム及び写真プリント方法に関する。
【背景技術】
【０００２】
従来より、デジタルカメラ等で撮像した画像データに係る写真のプリント指示を顧客より受け付け、写真をプリント後に顧客に送付等するサービスをインターネットなどの通信回線を介して行う写真プリントシステムが知られている。
この写真プリントシステムにあっては、インターネット上のＤＰＥショップ（以下、ネットＤＰＥショップという）に対して、プリントされる写真画像の画質の条件を正確に伝えることができないため、顧客所望の画質で写真のプリントを行うことが困難であるといった問題がある。
そこで、出力される画像が顧客により観察される地域情報に基づいて、顧客の地域性及び観察環境に応じた色補正を行うことができる画像処理装置が開発されている（例えば、特許文献１参照）。
【特許文献１】特開２００３−３２４６１６号公報
【発明の開示】
【発明が解決しようとする課題】
【０００３】
しかしながら、上記特許文献１等の装置を用いても、顧客の嗜好を伝えることはできないことから、顧客の嗜好に沿う画質に写真を仕上げることが困難であるといった問題がある。
【０００４】
そこで、本発明の課題は、顧客の嗜好に沿う画質の写真の提供を簡便に行うことができる写真プリントシステム及び写真プリント方法を提供することである。
【課題を解決するための手段】
【０００５】
請求項１に記載の発明の写真プリントシステム（例えば、図１の写真プリントシステム１００等）は、
端末装置（例えば、図１の顧客端末装置２等）と、前記端末装置と所定の通信回線（例えば、図１のインターネットＮ等）を介して接続され、前記端末装置からのプリント指示を受け付けるプリント装置（例えば、図１の写真プリント装置４等）と、を備え、
前記端末装置は、
放送用信号を受信する放送受信手段と、
前記受信された放送用信号に含まれる視聴用コンテンツを表示する表示手段と、
前記表示手段によって表示される前記視聴コンテンツの画質を調整する画質調整手段と、
前記画質調整に係る画質調整情報を記憶する画質調整情報記憶手段と、
前記視聴用コンテンツに係る画像とは異なる画像であって脱着可能な記録媒体に記録された画像のプリントを指示するための指示手段と、
前記プリント指示に係るプリント指示情報と、前記画質調整情報記憶手段に記憶された画質調整情報（例えば、図２の画質調整データＤ等）とを送信する情報送信手段（例えば、図２の通信制御部２１８等）と、を備え、
前記プリント装置は、
前記情報送信手段から送信された前記プリント指示情報及び前記画質調整情報を受信する情報受信手段（例えば、図６の通信制御部４１等）と、
前記情報受信手段により受信された前記画質調整情報に基づいて、前記プリント指示情報によりプリントが指示された前記画像の画質補正を行う画質補正手段（例えば、図６の画像処理部４２等）と、を備えることを特徴としている。
【０００６】
請求項２に記載の発明は、請求項１に記載の写真プリントシステムにおいて、
前記端末装置（例えば、図９の顧客端末装置１０２等）は、
前記画質調整情報記憶手段は、複数の前記画質調整情報を記憶し（例えば、図９のデータベースＤＢ等）、
前記画質調整情報記憶手段に記憶された前記複数の前記画質調整情報から何れか一の前記画質調整情報を選択する画質調整情報選択手段（例えば、図９のリモコン２２等）を備え、
前記情報送信手段は、前記画質調整情報選択手段により選択された前記画質調整情報を送信することを特徴としている。
【０００７】
請求項３に記載の発明は、請求項１又は２に記載の写真プリントシステムにおいて、
前記端末装置は、
前記指示手段によりプリントが指示された画像を取得する画像取得手段（例えば、図２の記録媒体読取部２１６等）を備え、
前記情報送信手段は、当該画像取得手段により取得された画像を前記プリント指示情報と対応付けて送信し、
前記プリント装置は、
前記情報受信手段は、前記情報送信手段から前記プリント指示情報と対応付けて送信された画像を受信することを特徴としている。
【０００８】
請求項４に記載の発明は、
表示装置（例えば、図１の画像表示装置３等）を備える端末装置（例えば、図１の顧客端末装置２等）と、前記端末装置と所定の通信回線（例えば、図１のインターネットＮ等）を介して接続され、前記端末装置からのプリント指示を受け付けるプリント装置（例えば、図１の写真プリント装置４等）と、を用いる写真プリント方法であって、
前記端末装置は、
放送用信号を受信する処理と、
前記受信された放送用信号に含まれる視聴用コンテンツを前記表示装置に表示する処理と、
前記表示装置に表示される前記視聴用コンテンツの画質を調整する処理と、
前記画質調整に係る画質調整情報を記憶する処理と、
前記視聴用コンテンツに係る画像とは異なる画像であって脱着可能な記録媒体に記録された画像のプリントを指示するための処理と、
前記プリント指示に係るプリント指示情報と、前記記憶された画質調整情報（例えば、図２の画質調整データＤ）とを送信する処理と、を行い、
前記プリント装置は、
前記端末装置から送信されて受信された前記画質調整情報に基づいて、前記プリント指示情報によりプリントが指示された前記画像の画質補正を行う処理を行うことを特徴としている。
【発明の効果】
【０００９】
本発明によれば、写真のプリント出力に際して、顧客の嗜好に沿う画質の写真を提供することができる。
【発明を実施するための最良の形態】
【００１３】
以下に、本発明について、図面を用いて具体的な態様を説明する。ただし、発明の範囲は、図示例に限定されない。
図１は、本発明を適用した一実施形態として例示する写真プリントシステム１００の要部構成を模式的に示した図である。
本実施形態の写真プリントシステム１００は、例えば、デジタルカメラ等で撮像した画像データに係る写真のプリント指示をインターネット（通信回線）Ｎを介して顧客Ｙより受け付けて、写真をプリント後に顧客Ｙに送付等するサービスを提供するものである。具体的には、図１に示すように、写真プリントシステム１００は、例えば、ケーブルＴＶ会社Ｃに配設される管理サーバ１と、顧客Ｙにより所有される顧客端末装置２及び画像表示装置３と、管理サーバ１とインターネットＮを介して接続され、ネットワーク上のＤＰＥショップＳ（以下、ネットＤＰＥショップＳという）に配設される写真プリント装置４等を備えて構成されている。
【００１４】
先ず、管理サーバ１について説明する。
管理サーバ１は、例えば、放送局Ｂからテレビ塔、放送衛星、通信衛星（何れも図示略）などを介して送信されるスクランブルされた放送用信号のアンテナ（図示略）等による受信や当該放送用信号の通信用ケーブルを介した送信等の制御や、顧客端末装置２と写真プリント装置４との間におけるインターネットＮを介した各種情報の送受信等の制御を行うものである。即ち、管理サーバ１は、顧客Ｙに対する所定の視聴用コンテンツの提供や、インターネットサービスプロバイダとしてインターネットＮへの接続サービスの提供等を行うようになっている。
なお、インターネットサービスの提供の際における当該管理サーバ１と顧客端末装置２との間における各種情報の送受信は、例えば、放送用信号の送信に用いられる通信用ケーブルを介して行われても良いし、インターネット専用のケーブルを介して行われても良い。
【００１５】
次に、顧客端末装置２について、図２〜図５を参照して説明する。ここで、図２は、顧客端末装置２の要部構成を示すブロック図である。
本実施形態の顧客端末装置２は、例えば、ケーブルＴＶ会社Ｃなどから提供されるＳＴＢ（Set Top Box）等が適用され、通信用ケーブルを介して受信された放送用信号に基づいて、各種番組を表示する画像表示装置３が接続されている。
具体的には、顧客端末装置２は、図２に示すように、フロントエンド部２１１と、デスクランブラ２１２と、ＭＰＥＧデコーダ２１３と、画像処理部２１４と、信号受信部２１５と、記録媒体読取部２１６と、記憶部２１７と、通信制御部２１８と、制御部２１９等を備える装置本体部２１と、この装置本体部２１の各種操作を行うためのリモコン２２等を備えて構成されている。
【００１６】
フロントエンド部２１１は、例えば、ケーブルＴＶ会社Ｃから送信され通信用ケーブルを介して受信したスクランブルされた放送用信号に対してチューニング等の所定の信号処理を施すものである。
なお、所定の信号処理が施された放送用信号（Transport Streamデータ）は、デスクランブラ２１２に対して出力される。
【００１７】
デスクランブラ２１２は、例えば、フロントエンド部２１１から出力され入力されたスクランブルされている放送用信号のスクランブルを解除する処理を行うものである。
なお、スクランブル解除された放送用信号は、ＭＰＥＧデコーダ２１３に対して出力される。
【００１８】
ＭＰＥＧデコーダ２１３は、例えば、デスクランブラ２１２から出力され入力されたスクランブル解除された放送用信号に対して、当該信号の形式に応じた処理を施して、動画像や静止画像に係る画像データとしてNTSC信号を復号（取得）する処理を行うものである。
なお、作成された画像データは、画像処理部２１４に対して出力される。
【００１９】
画像処理部２１４は、例えば、ＭＰＥＧデコーダ２１３から出力され入力された画像データに基づいて、所定の画像を画像表示装置３にて表示するための画像処理を行うものである。具体的には、画像処理部２１４は、例えば、NTSC信号（画像データ）を国際標準規格の標準色空間であるｓＲＧＢデータに変換して、画像表示装置３に対して出力するようになっている。
また、画像処理部２１４は、画質調整手段として、例えば、顧客Ｙによるリモコン２２の所定操作に従って入力された所定の操作信号に基づいて、画像表示装置３に表示される画像の画質調整を行うようになっている。
【００２０】
以下に、画像処理部２１４による画質調整処理について、図３及び図４を参照して詳細に説明する。
ここで、図３は、画質調整処理に係り、画像表示装置３に表示される画質調整画面Ｇ１を模式的に示した図である。また、図４は、画質調整処理にかかるＨＳＶ色空間を模式的に示した図である。なお、図３にあっては、「明度」が選択されることでハイライトとされた状態を表している。
【００２１】
画質調整処理は、放送局Ｂから送信される放送用信号に基づいて所定の視聴用コンテンツを視聴する場合に、画像表示装置３に表示される画像の画質を調整する処理である。
この画質調整処理にあっては、ＲＧＢデータに比べて、人間が直感的に判断することができる明度（value）、彩度（saturation）、色相（hue）を用いて行われる（図３参照）。即ち、図３に示すように、画像表示装置３に表示される画質調整画面Ｇ１にて、顧客Ｙによるリモコン２２の所定操作に基づいて選択された、明度、彩度、色相のうちの所定の項目のパラメータ（例えば、明度にあっては、「暗」〜「明」、彩度にあっては、「低」〜「高」、色相にあっては、「−３０」〜「＋３０」等）が調整されると、画像処理部２１４は、調整されたパラメータに係る画質調整データＤを取得する。
【００２２】
次に、画像処理部２１４は、ｓＲＧＢデータである画像データ及び画質調整データＤをＨＳＶデータに変換して、画像データを画質調整データＤにより補正する処理を行う（図４参照）。具体的には、明度の補正にあっては、明度を上げる場合には下側に、下げる場合には上側に移動させ、また、彩度の補正にあっては、彩度を上げる場合には外周側に、下げる場合には内周側に移動させ、また、色相の補正にあっては、変更したい方向に回転させれば良い。
その後、画像処理部２１４は、補正されたＨＳＶデータをｓＲＧＢデータに変換して、画質調整処理が完了する。
なお、変換後のｓＲＧＢデータは、画像表示装置３に対して出力される。
【００２３】
信号受信部２１５は、例えば、選局や音量調節の際等に、顧客Ｙによるリモコン２２の操作部（図示略）の所定操作に基づいて信号発信部（図示略）から発信される操作信号を受信するものである。
また、信号受信部２１５は、例えば、明度、彩度、色相の各パラメータの調整を行う画質調整や、写真のプリントを指示（発注）する場合に、写真画像データの選択や画像補正の有無やその種類の選択等に係る操作信号を受信するようになっている。
【００２４】
記録媒体読取部２１６は、例えば、デジタルカメラ等の撮像装置にて撮像された写真画像に係り、国際標準規格の標準色空間であるｓＲＧＢ色空間で色が表された写真画像データを記録するメモリカード等の着脱自在な記録媒体Ｍから写真画像データを読み取るものである。具体的には、記録媒体読取部２１６は、写真画像情報取得手段として、リモコン２２の所定操作に基づいて送信され信号受信部２１５を介して受信されたプリント指示信号に対応する写真画像データを記録媒体Ｍから取得するようになっている。
【００２５】
記憶部２１７は、例えば、書き換え可能なメモリカード等の記録媒体やハードディスクドライブ等が適用され、画像処理部２１４による画質調整処理に係るＨＳＶデータに変換後の画質調整データＤを記憶するようになっている。
ここで、ＨＳＶデータに変換後の画質調整データＤは、具体的には、色彩にあっては、標準値に対して±Ｘ°、明度及び色度にあっては、標準値に対してＹ％補正するといった内容のデータである。
【００２６】
通信制御部２１８は、例えば、モデム（MODEM:Modulater/DEModulater）、ターミナルアダプタ（Terminal Adapter）等により構成され、管理サーバ１経由でのインターネットＮへの接続や、プリント指示信号や画質調整データＤや写真画像データ等の各種情報の送信等を制御するためのものである。
即ち、通信制御部２１８は、情報送信手段として、リモコン２２を介して入力されたプリント指示信号と、記憶部２１７に記憶されたＨＳＶデータに変換後の画質調整データＤを対応付けて、管理サーバ１を介して写真プリント装置４に送信するようになっている。さらに、プリント発注処理にて、プリントに係る写真がリモコン２２を介して選択されると、通信制御部２１８は、プリント指示信号に対応する記録媒体読取部２１６により取得された写真画像データを写真プリント装置４に対して送信するようになっている。
【００２７】
制御部２１９は、例えば、ＣＰＵ（Central Processing Unit）、ＲＡＭ（Random Access Memory）、ＲＯＭ（Read Only Memory）等から構成され、顧客端末装置２の各部を統括的に制御するものである。具体的には、ＣＰＵは、ＲＯＭに記憶されている顧客端末装置２としての機能に関る各種プログラムを読み出してＲＡＭの作業領域に展開し、当該プログラムに従って各種処理を実行するようになっている。
【００２８】
また、制御部２１９は、例えば、写真のプリント発注の際に、画像表示装置３に所定の画質補正選択画面Ｇ２を表示させて（図５参照）、この画質補正選択画面Ｇ２にて、プリントされる写真の画質補正の有無やその種類の選択する処理を行う。
ここで、画質補正の種類としては、画像処理部２１４による画質調整処理によって画質調整されたＴＶに画質を合わせるための「ＴＶに合わせる」と、その都度画質を設定可能な「カスタマイズ」等を設定することができるようになっている（図５参照）。なお、図５にあっては、「ＴＶに合わせる」が選択された状態を表している。
【００２９】
さらに、制御部２１９は、例えば、写真プリント処理において、リモコン２２の所定操作に基づいて実行される所定のＷｅｂブラウザに基づいて、ネットＤＰＥショップＳが開設する写真のプリント受注サイトにアクセスして、当該サイトのホームページなどを画像表示装置３に表示させる処理の実行を制御するようになっている。
【００３０】
リモコン２２は、例えば、図示は省略するが、操作部、信号発信部、制御部等を備えて構成され、当該制御部の制御下にて、顧客Ｙによる操作部の所定操作に基づいて出力される操作信号を信号発信部から発信するようになっている。
具体的には、リモコン２２は、プリント指示情報入力手段として、記録媒体Ｍに記録された所定の写真画像データに係る写真のプリント発注の際に、顧客Ｙによる操作部の所定操作に基づいて当該写真のプリント指示に係るプリント指示信号を入力するようになっている。
また、リモコン２２は、例えば、明度、彩度、色相の各パラメータの調整を行う画質調整や、写真のプリント発注に際して、写真画像データの選択や画像補正の有無やその種類の選択等に係る操作信号を信号発信部から発信するようになっている。
【００３１】
画像表示装置３は、例えば、ｓＲＧＢ色空間の画像データに対応するＬＣＤ（Liquid Crystal Display）やＣＲＴ（Cathode Ray Tube）等が適用され、表示領域にケーブルＴＶ会社Ｃから提供され顧客端末装置２にて受信した各種の視聴用コンテンツを表示するものである。
また、画像表示装置３は、例えば、顧客端末装置２による画質調整処理に係る画質調整画面Ｇ１（図３参照）や写真のプリント発注の際における画質補正選択画面Ｇ２（図５参照）等を表示するようになっている。
なお、画像表示装置３は、画像の表示の際に、表示デバイスの特性に応じてガンマ補正等を行うようにしても良い。
【００３２】
次に、写真プリント装置４について、図６を参照して説明する。ここで、図６は、写真プリント装置４の要部構成を示すブロック図である。
写真プリント装置４は、例えば、インターネットＮ上に写真のプリント受注サイトを開設するとともに、受注したプリント指示に係る写真のプリントを行うものである。具体的には、写真プリント装置４は、図６に示すように、通信制御部４１と、画像処理部４２と、操作入力部４３と、画像データ出力部４４と、制御部４５と、写真プリント部４６等を備えて構成されている。
【００３３】
通信制御部４１は、例えば、顧客端末装置２と同様に、モデム、ターミナルアダプタ等により構成されており、顧客端末装置２から管理サーバ１及びインターネットＮを介して送信されるプリント指示信号や画質調整データＤや写真画像データ等の各種情報の受信等を制御するようになっている。
即ち、通信制御部４１は、情報受信手段として、顧客端末装置２から送信されたプリント指示信号及び画質調整データＤを受信するものである。
【００３４】
画像処理部４２は、写真画質補正手段として、例えば、通信制御部４１により受信された画質調整データＤに基づいて、プリント指示信号によりプリントが指示された写真画像データの画質補正を行うものである。即ち、写真画像データは、ｓＲＧＢデータであり、一方、画質調整データＤは、ｓＲＧＢデータをＨＳＶデータに変換した状態で、明度、彩度、色彩を補正するデータであるので、画像処理部４１は、ＨＳＶデータをｓＲＧＢ色空間のデータとした後、所定の演算を行うことにより、写真画像データの補正を行うことができることとなる。
なお、画像補正処理がなされた写真画像データは、当該写真プリント装置４と所定の接続ケーブルを介して接続された画像表示装置４７に出力されて表示されて、その内容が確認されるようになっている。
【００３５】
操作入力部４３は、例えば、キーボードやマウス等を備えて構成され、ユーザによる所定操作に基づいて所定の操作信号を制御部４５に対して出力するようになっている。具体的には、操作入力部４３は、例えば、当該写真プリント装置４の画像処理部４２による画像補正処理等の各種動作の実行開始等を指示するものである。
【００３６】
画像データ出力部４４は、例えば、画像処理部４２により画像補正処理後の写真画像データを写真プリント部４６に対して出力するものである。
【００３７】
写真プリント部４６は、例えば、画像補正後の写真画像データに基づいて、顧客Ｙにより指定された所定の材質及び寸法からなる記録媒体に対して所定の画像を形成することによって、写真をプリントするようになっている。
【００３８】
制御部４５は、例えば、顧客端末装置２と同様に、ＣＰＵ、ＲＡＭ、ＲＯＭ等から構成され、写真プリント装置４の各部を統括的に制御するものである。
【００３９】
次に、画質調整処理について、図７を参照して説明する。ここで、図７は、画質調整処理に係る動作の一例を示すフローチャートである。
【００４０】
図７に示すように、管理サーバ１は、先ず、放送局Ｂから提供される所定の視聴用コンテンツに係る放送用信号を通信用ケーブルを介して所定の顧客端末装置２に対して送信する（ステップＳ１）。
【００４１】
顧客端末装置２にあっては、フロントエンド部２１１は、受信した放送用信号のチューニングを行い（ステップＳ２）、続けて、デスクランブラ２１２は放送用信号のスクランブルを解除し（ステップＳ３）、その後、ＭＰＥＧデコーダ２１３は放送用信号からＮＴＳＣ信号（画像データ）を復号する処理を行う（ステップＳ４）。
【００４２】
次に、画像処理部２１４は、復号されたＮＴＳＣ信号をｓＲＧＢ色空間のデータに変換する処理を行う（ステップＳ５）。続けて、制御部２１９は、画像表示装置３に明度、彩度、色相の調整を行う画質調整画面Ｇ１（図３参照）を表示させる（ステップＳ６）。
ここで、顧客Ｙによるリモコン２２等の所定操作に基づいて画質調整が行われると（ステップＳ７；ＹＥＳ）、画像処理部２１４は、ｓＲＧＢデータである画像データ及び調整されたパラメータに係る画質調整データＤをＨＳＶデータに変換して、画像データを画質調整データＤにより補正する処理を行う（ステップＳ８）。
その後、画像処理部２１４は、補正されたＨＳＶ色空間の画像データをｓＲＧＢ色空間の画像データに変換した後（ステップＳ９）、変換後のｓＲＧＢデータを画像表示装置３に対して出力して、画像表示装置３に補正後の画像を表示させる（ステップＳ１０）。
以上により、画質調整処理を終了する。
【００４３】
次に、プリント発注処理について、図８を参照して説明する。ここで、図８は、プリント発注処理に係る動作の一例を模式的に示した図である。
図８に示すように、顧客端末装置２にあっては、先ず、制御部２１９は、顧客Ｙによるリモコン２２等の所定操作に基づいて通信制御部２１８を制御して、インターネットＮを介して写真プリント装置４が開設する写真のプリント受注サイトにアクセスした後（ステップＳ２１）、当該サイトのホームページ上にてプリントを発注する写真の選択を行う（ステップＳ２２）。
続けて、制御部２１９は、画像表示装置３に写真の画質補正の選択に係る画質補正選択画面Ｇ２（図５参照）を表示させる（ステップＳ２３）。ここで、顧客Ｙによるリモコン２２等の所定操作に基づいて所定の画質補正（例えば、「ＴＶに合わせる」に係る画質補正）が選択されると（ステップＳ２４；ＹＥＳ）、制御部２１９は、通信制御部２１８を制御して、当該画質補正に係る画質調整データＤをプリント指示信号及び写真画像データとともに、インターネットＮを介して写真プリント装置４に送信する（ステップＳ２５）。
なお、画質調整データＤは、「ＴＶに合わせる」が選択指示された場合には、記憶部２１７から取得され、また、「カスタマイズ」が選択指示された場合には、その都度設定された明度等に係る画質調整データＤが作成されるようになっている。
【００４４】
写真プリント装置４にあっては、画像処理部４２は、通信制御部４１により受信された画質調整データＤに基づいて、プリント指示信号によりプリントが指示された写真画像データの画質補正を行う（ステップＳ２６）。
そして、画像補正処理後の写真画像は、画像表示装置４７に表示されて、その内容が作業者により確認された後、例えば、プリントＯＫである場合には、画像データ出力部４４は、画像補正処理後の写真画像データを写真プリント部４６に出力する（ステップＳ２７）。
【００４５】
一方、ステップＳ２４にて、画質補正が選択されなかった場合には（ステップＳ２４；ＮＯ）、制御部２１９は、通信制御部２１８を制御して、プリント指示信号及び写真画像データをインターネットＮを介して写真プリント装置４に送信し（ステップＳ２８）、そして、写真プリント装置４にあっては、受信した写真画像データを写真プリント部４６に出力する（ステップＳ２９）。
【００４６】
そして、写真プリント部４６は、ステップＳ２７にて画像補正処理後に出力され入力された写真画像データ、若しくはステップＳ２８にて画像補正処理が行われず出力され入力された写真画像データに基づいて所定の写真をプリントする（ステップＳ３０）。
【００４７】
その後、プリントされた写真は、予め顧客Ｙから指示されている写真の受取場所等に配送されるなどして、顧客Ｙに渡される。
【００４８】
以上のように、本実施形態の写真プリントシステム１００によれば、画像表示装置３にｓＲＧＢ色空間で色が表される画像データに基づいて表示される画像の画質調整を予め行っておくことで、ｓＲＧＢ色空間で色が表される写真画像データに係る写真のプリントを行う際に、その都度、当該写真画像データの画質調整を顧客Ｙが自ら行わなくとも、画像表示装置３に表示される画像の画質調整に係る画質調整データに基づいて、プリントが指示された写真の写真画像データの画質補正を行うことができるので、顧客Ｙの嗜好に沿う画質の写真の提供を簡便に行うことができる。
特に、顧客Ｙは写真のプリント発注に際して、当該写真の画質調整を行う必要がないため、顧客Ｙに対して画質補正処理の実行を意識させることがなくなり、これらの処理によって顧客Ｙを煩わせることがなくなるという格別の効果も得ることができる。
【００４９】
また、写真のプリント発注に際して、プリント指示信号と対応付けてプリントに係る写真画像データを写真プリント装置４に対して送信することができるので、プリント指示信号により指示される写真画像データの取得を適正に行うことができ、当該写真画像データの画質補正を効率良く行うことができる。
【００５０】
なお、本発明は、上記実施形態に限定されることなく、本発明の趣旨を逸脱しない範囲において、種々の改良並びに設計の変更を行っても良い。
例えば、顧客端末装置２の記憶部２１７に、一の画質調整データＤを記憶するようにしたが、これに限られるものではなく、例えば、複数の画質調整データＤ、…を記憶するデータベースＤＢ（画質調整情報記憶手段）を設けるようにしても良い（図９参照）。
即ち、家庭に一の顧客端末装置２が設置された場合には、当該顧客端末装置１０２を複数人で使用してケーブルＴＶ会社Ｃから提供される視聴用コンテンツを視聴する場合がある。かかる場合に、変形例１の顧客端末装置１０２にあっては、各顧客Ｙ毎に画像表示装置３に表示される画像の画質調整を行うことができるようにして、各顧客Ｙに対応する例えば、第一画質調整データＤ１、第二画質調整データＤ２等の複数の画質調整データＤを記憶部２１７のデータベースＤＢに記憶しておく。そして、リモコン（画質調整情報選択手段）２２の所定操作に基づいて選択指示される所定の画質調整データＤを、制御部２１９の制御下にて、データベースＤＢから取得して、通信制御部２１８により所定のタイミングで写真プリント装置４に対して送信するようになっている。
これにより、複数の画質調整データＤ、…から選択された何れか一の画質調整データＤに基づいて、写真の画質調整を適正に行うことができる。即ち、複数の顧客Ｙにより顧客端末装置２が使用される場合であっても、各顧客Ｙ毎に画質調整データＤを記憶することができることとなり、これによって、各顧客Ｙの嗜好に沿った画質で写真の提供を適正に行うことができる。
【００５１】
なお、上記の変形例において、画質調整データＤは、リモコン２２の所定操作に基づいて選択される替わりに、現在視聴している状態の画質設定に係る画質調整データＤを写真プリント装置４に対して送信するようにしても良い。
また、画質調整データＤは、顧客Ｙにより設定されたものに限られるものではなく、例えば、風景や人物を視聴する場合に最適となるように画質調整される画質調整データＤを予めデフォルトとしてデータベースＤＢに記憶しておくようにしても良い。
【００５２】
また、上記実施形態では、インターネットＮを介した写真のプリントサービスについて説明したが、これに限られるものではなく、例えば、顧客Ｙにより調整された画質調整データＤに基づいて、顧客Ｙの好みの色を判定して、当該好みの色に応じた所定の商品（例えば、服や小物など）を推薦して提供するような商品販売サービスシステムに適用するようにしても良い。
即ち、写真プリント装置４に、複数の商品の各々と各商品の色に係る商品色データとを対応付けて記憶する商品情報記憶部と、通信制御部により受信された画質調整データＤに基づいて、顧客Ｙの好みの色に係る商品色データを商品情報記憶部から取得する商品色情報取得部と、商品色情報取得部により取得された商品色データに基づいて、当該商品色データに対応する所定の商品を選択して、当該商品に係る商品推薦情報を通信制御部を介して顧客端末装置２に送信する商品推薦情報送信部とを備えるようにしても良い。
これにより、顧客Ｙの嗜好に沿った様々な商品を優先的に紹介することができることとなって、顧客Ｙは、所望の色の商品を短時間で探し出すことができることとなる。従って、今までにない斬新でより魅力的な商品販売サービスシステムを提供することができる。
【００５３】
さらに、上記実施形態では、顧客端末装置２から写真画像データと画質調整データＤを写真プリント装置４に送信し、当該写真プリント装置４にて写真画像データの補正が行われるようにしたが、例えば、顧客端末装置２にて、画質調整データＤに基づいて写真画像データの補正を行なった後、補正後の写真画像データを写真プリント装置４に送信するようにしても良い。
【００５４】
また、上記実施形態では、プリント発注に係る写真の画質補正において、ケーブルＴＶ会社Ｃが提供する視聴用コンテンツの画像の画質調整に係る画質調整データＤに基づいて行うようにしたが、これに限られるものではなく、例えば、パーソナルコンピュータ（ＰＣ；図示略）を用いて、当該ＰＣのディスプレイ（図示略）に表示される画像の画質調整に係る画質調整データに基づいて行うようにしても良い。
さらに、上記実施形態では、所定規格の色空間としてｓＲＧＢ色空間について例示したが、これに限られるものではなく、他の規格の色空間であっても良い。
加えて、上記実施形態では、画質調整処理にて、画像の明度、彩度、色彩を調整するようにしたが、これに限られるものではなく、例えば、これらに加えて、コントラストや、輪郭補正等を調整するようにしても良い。
【００５５】
また、上記実施形態では、通信回線としてインターネットＮを例示したが、これに限られるものではなく、専用線や既存の一般公衆回線を利用して構築された通信回線（通信ネットワーク）であれば如何なるものであっても良く、例えば、ＬＡＮやＷＡＮ等の様々な回線形態を適用することが可能である。また、本発明に係る通信回線には、例えば、電話回線網、ＩＳＤＮ回線網、専用線、移動体通信網、通信衛星回線、ＣＡＴＶ回線網等の各種通信回線網等が含まれる。
【図面の簡単な説明】
【００５６】
【図１】本発明を適用した一実施形態として例示する写真プリントシステムの要部構成を模式的に示した図である。
【図２】図１の写真プリントシステムを構成する顧客端末装置の要部構成を示すブロック図である。
【図３】図２の顧客端末装置による画質調整処理に係る画質調整画面を模式的に示した図である。
【図４】図３の画質調整処理にかかるＨＳＶ色空間を模式的に示した図である。
【図５】図２の顧客端末装置によるプリント発注処理に係る画質補正選択画面を模式的に示した図である。
【図６】図１の写真プリントシステムを構成する写真プリント装置の要部構成を示すブロック図である。
【図７】図１の写真プリントシステムによる画質調整処理に係る動作の一例を示すフローチャートである。
【図８】図１の写真プリントシステムによるプリント発注処理に係る動作の一例を示すフローチャートである。
【図９】変形例１の写真プリントシステムを構成する顧客端末装置の要部構成を示すブロック図である。
【符号の説明】
【００５７】
１００      写真プリントシステム
２、１０２  顧客端末装置
２１４      画像処理部（画質調整手段）
２１６      記録媒体読取部（写真画像情報取得手段）
２１８      通信制御部（情報送信手段）
２２        リモコン（プリント指示情報入力手段、画質調整情報選択手段）
３          画像表示装置
４          写真プリント装置
４１        通信制御部（情報受信手段）
４２        画像処理部（写真画質補正手段）
Ｄ          画質調整データ
ＤＢ        データベース（画質調整情報記憶手段）
Ｎ          インターネット（通信回線）
【図１】
0004735231.tif 000002
【図２】
0004735231.tif 000003
【図３】
0004735231.tif 000004
【図４】
0004735231.tif 000005
【図５】
0004735231.tif 000006
【図６】
0004735231.tif 000007
【図７】
0004735231.tif 000008
【図８】
0004735231.tif 000009
【図９】
0004735231.tif 000010